(57)【特許請求の範囲】
【請求項１】
商品毎の購入選択ボタンを有し、携帯電話から移動体通信交換局を介して信号を受信する自動販売機を用いた携帯電話買い物方式において、前記自動販売機は、前記携帯電話から前記移動体通信交換局を介して着信を受けた時に、販売可であると判断し、前記商品毎の購入選択ボタンのランプを点灯させる点灯手段を有し、前記移動体通信交換局は、前記自動販売機が前記商品毎の購入選択ボタンのランプを点灯させた後に前記携帯電話が電話を切断すると、前記携帯電話との間の通信パスを切断し、前記自動販売機との間の通信パスを自動販売機が電話を切断するまで張ったままにする接続手段を有することを特徴とする携帯電話買い物方式。
【請求項２】
前記自動販売機は、前記購入選択ボタンの１つが押下されると押下した購入選択ボタンに対応する商品を排出口に排出し、その排出した商品の売上情報を前記移動体通信交換局に送信した後に前記接続手段で張った通信パスを切断する切断手段を有することを特徴とする請求項１記載の携帯電話買い物方式。
【請求項３】
前記自動販売機を管理する自動販売業者管理システムを備え、前記自動販売機は、前記売上情報を基に売り上げた商品に対応する売上額を積算し記録する記録手段と、予め決められた日時になると前記記録手段で記録された予め決められた期間の売上結果を前記自動販売業者管理システムに送信する売上結果送信手段と、を有することを特徴とする請求項１または２記載の携帯電話買い物方式。
【請求項４】
前記自動販売機を管理する自動販売業者管理システムを備え、前記自動販売業者管理システムは、予め決められた日時になると、前記自動販売機に予め決められた期間の売上結果を要求する売上結果要求手段を有し、前記自動販売機は、前記売上情報を基に売り上げた商品に対応する売上額を積算し記録する記録手段と、前記売上結果要求手段により前記記録手段で記録された予め決められた期間の売上結果を前記自動販売業者管理システムに送信する売上結果送信手段と、を有することを特徴とする請求項２記載の携帯電話買い物方式。
【請求項５】
商品毎の購入選択ボタンを有し携帯電話から指示により動作する自動販売機と携帯電話との中継を行う移動体通信交換局であって、前記携帯電話から前記自動販売機の呼出により携帯電話機と前記自動販売機との間を前記移動体通信交換局を介して通信パスを張った後に、前記携帯電話が電話を切断すると、前記移動体通信交換局と前記携帯電話との間の通信パスを切断し、前記移動体通信交換局と前記自動販売機との間の通信パスを自動販売機が電話を切断するまで張ったままにする接続手段を有することを特徴とする移動体通信交換局。
【請求項６】
商品毎の購入選択ボタンを有し、携帯電話から移動体通信交換局を介して信号を受信する自動販売機を用いた携帯電話買い物方法であって、前記自動販売機は、前記携帯電話から前記移動体通信交換局を介して着信を受けた時に販売可であると判断して前記商品毎の購入選択ボタンのランプを点灯させ、前記移動体通信交換局は、前記自動販売機が前記商品毎の購入選択ボタンのランプを点灯させた後に前記携帯電話が電話を切断すると前記携帯電話との間の通信パスを切断し前記自動販売機との間の通信パスを自動販売機が電話を切断するまで張ったままにすることを特徴とする携帯電話買い物方法。
【請求項７】
前記自動販売機が、前記購入選択ボタンの１つが押下されると押下した購入選択ボタンに対応する商品を排出口に排出しその排出した商品の売上情報を前記移動体通信交換局に送信した後に前記接続手段で張った通信パスを切断することを特徴とする請求項６記載の携帯電話買い物方法。
【請求項８】
商品毎の購入選択ボタンを有し、携帯電話から移動体通信交換局を介して信号を受信する自動販売機を用いた携帯電話買い物方法であって、前記自動販売機は、前記携帯電話からの着信を受けた時に、販売可であると判断し、前記商品毎の購入選択ボタンのランプを点灯させ、前記購入選択ボタンの１つが押下されると押下した購入選択ボタンに対応する商品を排出口に排出し、その排出した商品の売上情報を前記移動体通信交換局に送信し、前記売上情報を基に売り上げた商品に対応する売上額を積算すると共に記憶部に記録し、前記自動販売機が前記商品毎の購入選択ボタンのランプを点灯させた後に前記携帯電話が電話を切断すると、前記移動体通信交換局は、前記携帯電話との間の通信パスを切断し、前記自動販売機との間の通信パスを自動販売機が電話を切断するまで張ったままにすることを特徴とする携帯電話買い物方法。
【請求項９】
商品毎の購入選択ボタンを有し、携帯電話から移動体通信交換局を介して信号を受信する自動販売機を用いた携帯電話買い物方法であって、前記自動販売機は、前記携帯電話からの着信を受けた時に、販売可であると判断し、前記商品毎の購入選択ボタンのランプを点灯させ、前記購入選択ボタンの１つが押下されると押下した購入選択ボタンに対応する商品を排出口に排出し、その排出した商品の売上情報を前記移動体通信交換局に送信し、前記売上情報を基に売り上げた商品に対応する売上額を積算すると共に記憶部に記録し、前記移動体通信交換局は、前記売上情報を受信した時に、前記自動販売機に電話した加入者に対して前記売上情報を通信料金の一部として処理し、前記自動販売機が前記商品毎の購入選択ボタンのランプを点灯させた後に前記携帯電話が電話を切断すると、前記移動体通信交換局は、前記携帯電話との間の通信パスを切断し、前記自動販売機との間の通信パスを自動販売機が電話を切断するまで張ったままにすることを特徴とする携帯電話買い物方法。
【請求項１０】
前記自動販売機は、予め決められた日時になると、前記記憶部に記録された売上結果を前記自動販売機を管理する前記自動販売業者管理システムに送信することを特徴とする請求項６，７，８，または９記載の携帯電話買い物方法。
【請求項１１】
前記自動販売機は、前記自動販売機を管理する自動販売業者管理システムから予め決められた日時に予め決められた期間の売上結果を要求されると、前記記憶部に記録された予め決められた期間の売上結果を前記自動販売業者管理システムに送信することを特徴とする請求項６，７，８，または９記載の携帯電話買い物方法。
【発明の詳細な説明】
【０００１】
【発明の属する技術分野】
本発明は、携帯電話（ＰＨＳ、自動車電話等の移動体通信端末を含む）で自動販売機を利用した携帯電話買い物方式および方法に関する。
【０００２】
【従来の技術】
この種の携帯電話で自動販売機を利用した携帯電話買い物方式は、例えば、特開平８−２４９５３０号公報で開示されている。すなわち、移動電話機により自動販売機および商品の指定入力を行うことにより、移動電話機から電話番号、指定自動販売機の呼出情報、および商品選択情報が通信回線を経由して自動販売機に送信される。自動販売機では、送信情報（発信元識別情報）に基づいて商品排出手段から指定商品を外部に排出させ、排出商品の課金情報および発信元識別情報を料金回収手段に伝送する。料金回収手段は送信された課金情報および発信元識別情報に基づいて料金を発信元識別情報から後払い方式で回収する。
【０００３】
【発明が解決しようとする課題】
しかしながら、上記の従来技術においては、自動販売機は、発信元識別情報（発信元の電話番号）に基づいているため、すなわち、予め自動販売機に登録されている電話番号の移動電話機からの利用要求のみを受け付けるようになっているため、自動販売機に移動電話機の電話番号が登録されていないと、その移動電話機を所有していても移動電話機から利用できないという問題点がある。また、自動販売機が、ユーザ毎（発信元識別情報毎）に購入額の管理をしなければならず、自動販売機利用の加入者が増えれば増えるほど膨大なデータを記憶する記憶部を準備しなければならないという問題点がある。
【０００４】
本発明の目的は、上記の問題点を鑑み、携帯電話からかかってきた場合は、無条件に自動販売機が販売可能状態にし、自動販売機で電話利用者の購入額の管理を行わないで購入した料金が電話会社にわかるようにすることにある。
【０００５】
また、本発明の目的は、自動販売機を管理している業者が、携帯電話による各商品毎の売上情報を把握することにある。
【０００６】
【課題を解決するための手段】
上記の目的を達成するために、本発明の携帯電話買い物方式は、商品毎の購入選択ボタンを有し、携帯電話から移動体通信交換局を介して信号を受信する自動販売機を用いた携帯電話買い物方式において、前記自動販売機は、前記携帯電話から前記移動体通信交換局を介して着信を受けた時に、販売可であると判断し、前記商品毎の購入選択ボタンのランプを点灯させる点灯手段を有し、前記移動体通信交換局は、前記自動販売機が前記商品毎の購入選択ボタンのランプを点灯させた後に前記携帯電話が電話を切断すると、前記携帯電話との間の通信パスを切断し、前記自動販売機との間の通信パスを自動販売機が電話を切断するまで張ったままにする接続手段を有することを特徴としている。
【０００７】
更に、前記自動販売機は、前記購入選択ボタンの１つが押下されると押下した購入選択ボタンに対応する商品を排出口に排出し、その排出した商品の売上情報を前記移動体通信交換局に送信した後に前記接続手段で張った通信パスを切断する切断手段を有することを特徴としている。
【０００８】
更に、前記自動販売機を管理する自動販売業者管理システムを備え、前記自動販売機は、前記売上情報を基に売り上げた商品に対応する売上額を積算し記録する記録手段と、予め決められた日時になると前記記録手段で記録された予め決められた期間の売上結果を前記自動販売業者管理システムに送信する売上結果送信手段と、を有することを特徴としている。
【０００９】
更に、前記自動販売機を管理する自動販売業者管理システムを備え、前記自動販売業者管理システムは、予め決められた日時になると、前記自動販売機に予め決められた期間の売上結果を要求する売上結果要求手段を有し、前記自動販売機は、前記売上情報を基に売り上げた商品に対応する売上額を積算し記録する記録手段と、前記売上結果要求手段により前記記録手段で記録された予め決められた期間の売上結果を前記自動販売業者管理システムに送信する売上結果送信手段と、を有することを特徴としている。
【００１１】
また、本発明の移動体通信交換局は、商品毎の購入選択ボタンを有し携帯電話から指示により動作する自動販売機と携帯電話との中継を行う移動体通信交換局であって、前記携帯電話から前記自動販売機の呼出により携帯電話機と前記自動販売機との間を前記移動体通信交換局を介して通信パスを張った後に、前記携帯電話が電話を切断すると、前記携帯電話との間の通信パスを切断し、前記自動販売機との間の通信パスを自動販売機が電話を切断するまで張ったままにする接続手段を有することを特徴としている。
【００１２】
また、本発明の第１の携帯電話買い物方法は、商品毎の購入選択ボタンを有し、携帯電話から移動体通信交換局を介して信号を受信する自動販売機を用いた携帯電話買い物方法であって、前記自動販売機が、前記携帯電話から前記移動体通信交換局を介して着信を受けた時に販売可であると判断して前記商品毎の購入選択ボタンのランプを点灯させ、前記移動体通信交換局が、前記自動販売機が前記商品毎の購入選択ボタンのランプを点灯させた後に前記携帯電話が電話を切断すると前記携帯電話との間の通信パスを切断し前記自動販売機との間の通信パスを自動販売機が電話を切断するまで張ったままにすることを特徴としている。
【００１３】
更に、上記の第１の携帯電話買い物方法において、前記自動販売機が、前記購入選択ボタンの１つが押下されると押下した購入選択ボタンに対応する商品を排出口に排出しその排出した商品の売上情報を前記移動体通信交換局に送信した後に前記接続手段で張った通信パスを切断することを特徴としている。
【００１４】
また、本発明の第２の携帯電話買い物方法は、商品毎の購入選択ボタンを有し、携帯電話から移動体通信交換局を介して信号を受信する自動販売機を用いた携帯電話買い物方法であって、前記自動販売機は、前記携帯電話からの着信を受けた時に、販売可であると判断し、前記商品毎の購入選択ボタンのランプを点灯させ、前記購入選択ボタンの１つが押下されると押下した購入選択ボタンに対応する商品を排出口に排出し、その排出した商品の売上情報を前記移動体通信交換局に送信し、前記売上情報を基に売り上げた商品に対応する売上額を積算すると共に記憶部に記録し、前記自動販売機が前記商品毎の購入選択ボタンのランプを点灯させた後に前記携帯電話が電話を切断すると、前記移動体通信交換局は、前記携帯電話との間の通信パスを切断し、前記自動販売機との間の通信パスを自動販売機が電話を切断するまで張ったままにすることを特徴としている。
【００１５】
また、本発明の第３の携帯電話買い物方法は、商品毎の購入選択ボタンを有し、携帯電話から移動体通信交換局を介して信号を受信する自動販売機を用いた携帯電話買い物方法であって、前記自動販売機は、前記携帯電話からの着信を受けた時に、販売可であると判断し、前記商品毎の購入選択ボタンのランプを点灯させ、前記購入選択ボタンの１つが押下されると押下した購入選択ボタンに対応する商品を排出口に排出し、その排出した商品の売上情報を前記移動体通信交換局に送信し、前記売上情報を基に売り上げた商品に対応する売上額を積算すると共に記憶部に記録し、前記移動体通信交換局は、前記売上情報を受信した時に、前記自動販売機に電話した加入者に対して前記売上情報を通信料金の一部として処理し、前記自動販売機が前記商品毎の購入選択ボタンのランプを点灯させた後に前記携帯電話が電話を切断すると、前記移動体通信交換局は、前記携帯電話との間の通信パスを切断し、前記自動販売機との間の通信パスを自動販売機が電話を切断するまで張ったままにすることを特徴としている。
【００１８】
更に、上記の第１、第２，または第３の携帯電話買い物方法において、前記自動販売機は、予め決められた日時になると、前記記憶部に記録された売上結果を前記自動販売機を管理する前記自動販売業者管理システムに送信することを特徴としています。
【００１９】
更に、上記の第１、第２，または第３の携帯電話買い物方法において、前記自動販売機は、前記自動販売機を管理する自動販売業者管理システムから予め決められた日時に予め決められた期間の売上結果を要求されると、前記記憶部に記録された予め決められた期間の売上結果を前記自動販売業者管理システムに送信することを特徴としています。
【００２０】
【発明の実施の形態】
次に、本発明の実施の形態について、図面を参照して説明する。
図１を参照すると、自動販売機１と、自動販売機１を利用しようとしてる購入者が所有している携帯電話２と、移動体通信交換局３と、設置されている自動販売機１周辺の通信エリア（電波の届く領域）をカバーする無線基地局４と、自動販売機業者が管理する自動販売機業者管理システム５と、移動体通信料金処理装置６と、無線基地局４の通信エリアであるサービスエリア１００とから構成されている。なお、移動体通信交換局３と移動体通信料金処理装置６と無線基地局４とは、同じ電話会社が管理している。従って、電話会社は、移動体通信料金処理装置６で処理されたデータを基に、電話会社に加入している一般加入者、業者等に通信料金を請求することになる。
【００２１】
図２を参照すると、図１の自動販売機１は、商品毎に対応した各商品ボタンからなる購入選択ボタンパネル１１と、携帯電話機である店番携帯電話モジュール１２と、図示していないプロセッサによりプログラム制御で動作する制御部１５と、制御部１５からの商品の排出指示が来ると指定された商品を排出する商品排出部１６と、商品排出部１６により排出された商品の受け皿である排出口１３と、各商品（購入選択ボタンパネル１１上の商品ボタンに対応）毎の売上を記録する記憶部１７と、自動販売機１の電話番号を表示した表示盤１４とから構成される。なお、表示盤１４は、自動販売機１の正面の判り易い位置に設けられている。
【００２２】
記憶部１７は、書込読み出しのできる不揮発性のメモリ（例えば、フラッシュメモリ）からなり、売上テーブル１７１を含んでいる。なお、記憶部１７に、揮発性のメモリ（例えば、ＲＡＭ）または不揮発性の記録媒体装置（例えば、磁気ディスク）を使用しても良い。
【００２３】
図４を参照すると、売上テーブル１７１は、購入選択ボタンパネル１１上の商品ボタンのボタン番号を示すボタン番号欄（欄：エリア）と、ボタン番号に対応した商品名である商品名欄と、コイン使用による売上数を積算するコイン数量欄と、コイン使用による売上額を積算するコイン売上額欄と、携帯電話使用による売上数量を積算する電話数量欄と、携帯電話使用による売上額を積算する電話売上額欄と、合計数量欄と、合計売上額欄とを含んでいる。ボタン番号欄および商品名欄４は、自動販売機１が設置されたときに予め設定されている。コインまたは電話による売上が発生する度に、制御部１５は、商品テーブル１７１の中の該当する場所に売上数および売上額を積算し、合計売上数および売上額を計算し直して、商品テーブル１７１を変更する。
【００２４】
図３を参照すると、図１の移動体通信料金処理装置６は、移動体通信交換局３および自動販売機業者管理システム５とのデータのやり取りを行う入出力部６１と、図示していないプロセッサによりプログラム制御で動作する制御部６２と、各ユーザ毎の通信料を記録する記憶部６３とから構成される。なお、この場合の通信料は、購入した商品の代金と回線の通話料とがわかるように含まれており、かつ自動販売機で商品を購入したかどうかわかる自販マーク（自動販売機で購入した物件であることを示し、オン「論理値１」の場合に自動販売機を利用したことを意味している。また、普通の通話料金との区別にもなる。）が含まれている。また、記憶部６３は、大容量のデータを確保でき、書込読み出しのできる不揮発性の記録媒体装置（例えば、磁気ディスク）である。
【００２５】
次に、図１〜図３を参照して、本発明の実施の形態の動作について説明する。今、サービスエリア１００内に設置されている自動販売機１に購入者（利用者）がやって来て、自分の携帯電話２を使って自動販売機１から希望の商品を買うものとする。
【００２６】
先ず、購入者は、自動販売機１の表示盤１４に表示されている電話番号（表示盤１４には、例えば、「携帯電話機でご購入の方は、０９０−ＸＸＸＸＸＸＸＸへお電話ください。」と表示してある）を見て、携帯電話２から自動販売機宛に電話かける。すると、接続呼は、無線基地局４、移動体通信交換局３、無線基地局４の経路で自動販売機１に着信する。自動販売機１の店番携帯電話モジュール１２は、電話の呼出を受けると、着信を検出し、着信処理（応答を返す）を行うう。店番携帯電話モジュール１２が応答を返すことにより、店番携帯電話モジュール１２と携帯電話２との間に移動体通信交換局３を経由した通信パスが張られる。
【００２７】
更に、店番携帯電話モジュール１２は、着信処理が終了すると、制御部１５に対し販売信号を出す。この場合の販売信号は、自動販売機に適切なコインが投入されるときと同じ信号である。制御部１５は、販売信号を割り込み信号として検出すると、購入選択ボタンパネル１１に対し、全商品ボタンの受付可能信号を発生する。購入選択ボタンパネル１１は、全商品ボタンの受付可能信号を受信すると、購入選択ボタンパネル１１上の全商品ボタンの押下時の受けけを有効にし、全商品ボタンのランプを点灯（自動販売機の販売ランプを点灯）する。
【００２８】
購入を希望する購入者が自動販売機の販売ランプが点灯することにより携帯電話２を切断すると、移動体通信交換局３は、その切断を検出し、携帯電話２との間の通信パスを解除する。しかし、移動体通信交換局３は、自動販売機１との通信パスを解除しないで、自動販売機１の店番携帯電話モジュール１２が切断するまで通信パスを確保する。
【００２９】
一方、購入を希望する購入者は、購入選択ボタンパネル１１上の所望の商品ボタンを押すと、押した商品ボタンに該当する選択信号が発生し、制御部１５に伝達すると共に、制御部１５は、その選択信号を受信すると、商品排出部１６に押したボタンに該当する商品の排出信号を商品排出部１６に送る。商品排出部１６は、その排出信号を検出すると、購入選択ボタンパネル１１上のボタンに対応する商品を排出口１３に排出し、排出し終わると終了報告を制御部１５に返信する。終了報告（正常終了）を受信した制御部１５は、購入選択ボタンパネル１１に対し、全商品ボタンの受付無効信号を発生すると共に、押した商品ボタンに対応する商品名、商品の数量、および売上額（以降、売上情報と呼ぶことがある）を、記憶部１７の商品テーブル１７１の中にある押した商品ボタンに該当する電話数量欄および売上額に加算し、合計数量欄と合計売上欄を計算し直す。更に、制御部１５は、売上情報を店番携帯電話モジュール１２に渡す。すると、店番携帯電話モジュール１２は、渡された売上情報を移動体通信交換局３に送信し、電話を切る。
【００３０】
一方、全商品ボタンの受付無効信号を受信した購入選択ボタンパネル１１は、購入選択ボタンパネル１１上の全商品ボタンの受付を無効にし、全商品ボタンのランプを消灯する（自動販売機の販売ランプを消灯）。
【００３１】
移動体通信交換局３は、受信した売上情報と携帯電話２の電話番号とに自販マークを付け、通信料金として処理する。すなわち、移動体通信交換局３は、移動体通信料金処理処理装置６に、通信情報（発生日付、自販マーク、通信料金、商品名、商品数量、売上額等）を送信する。購入者の通信料金情報を受信した移動体通信料金処理処理装置６は、その通信料金情報（発生日付、自販マーク、通信料金、商品名、商品数量、売上額等）を記憶部６３の顧客ファイルに格納する。月末など、料金精算時期になると、移動体通信料金処理装置６では、加入者毎の料金精算処理の際に、自販マークが付いており、かつ１ヶ月間利用した料金を積算し、自動販売業者管理システム５に送信することで、自動販売業者との精算処理に備えることができる。従って、電話会社と自動販売業者とが自動販売機の１ヶ月間の利用した料金に関する情報を知ることで、利用した料金の利用者からの集金は、自動販売業者が行うこともできるし、電話会社が代行して行うこともできる。
【００３２】
一方、自動販売機１は、予め決められた日にち（例えば、毎月１日の午前０時）になると、制御部１５に割り込みがかかり、その割り込みにより、制御部１５は、自動販売機業者管理システム５の電話番号（記憶部１７に予め設定）と、売上テーブル１７１とを記憶部１７から読み出し、記憶部１７の売上テーブル１７１を初期設定（ボタン番号欄および商品名欄を除き、各欄の数値をクリア）する。更に、制御部１５は、自動販売機業者管理システム５の電話番号（記憶部１７に予め設定）宛に、読み出した売上テーブルを送信するように店番携帯電話モジュール１２に要求する。その要求を受けると、店番携帯電話モジュール１２は、自動販売機業者管理システム５の電話番号宛に、売上テーブルを送信する。
【００３３】
すなわち、売上テーブルを受け取った自動販売機業者管理システム５は、各自動販売機１の各商品対する売上情報を予め決められた期間毎（例では、月単位毎）に、かつコイン、電話の種別毎に把握することができる。
【００３４】
なお、上記の売上テーブルの送信の説明において、複数の自動販売機１からの自動販売機業者管理システム５への同時送信を避けることを考えて、各自動販売機１が自動販売機業者管理システム５に送信する時刻をずらしておくことが望ましい。この場合、送信が自動販売機１の制御部１５の処理は、１日の午前０時になると、売上テーブルを記憶部１７の売上テーブル１７１から読み出すが、この読み出した売上テーブルを記憶部１７のワークエリアに一端保存し、売上テーブル１７１を初期設定すると共に、予め決められた時刻が来るまで待つ。予め決められた時刻になると、制御部１５は、店番携帯電話モジュール１２を介して、記憶部１７のワークエリアにある売上テーブルを読み出して、自動販売機業者管理システム５に送信する。
【００３５】
また、上記の売上テーブルの送信の説明において、複数の自動販売機１からの自動販売機業者管理システム５への同時送信を避けることを考えて、自動販売機業者管理システム５が、自動販売機業者管理システム５内に設定された日にちの時刻（例えば、毎月１日の午前１時）になると、ポーリング方式のように、順々に自動販売機の売上テーブルを読み出すようにしても良い。この場合、自動販売機１の店番携帯電話モジュール１２が自動販売機業者管理システム５の売上テーブル読み出しの要求のメッセージを受信すると、制御部１５に割込をかける（このとき、自動販売機業者管理システム５とは接続されたまま）。制御部１５は、売上テーブル読み出し要求の割り込みにより、自動販売機業者管理システム５の電話番号（記憶部１７に予め設定）と、売上テーブル１７１とを記憶部１７から読み出し、読み出した売上テーブルを送信するように店番携帯電話モジュール１２に渡す。すると、店番携帯電話モジュール１２は、自動販売機業者管理システム５の電話番号宛に、売上テーブルを送信する。やがて送信することで電話が切断されると、制御部１５は、記憶部１７の売上テーブル１７１を初期設定（ボタン番号欄および商品名欄を除き、各欄の数値をクリア）する。
【００３６】
本実施の形態例では、自動販売機内の携帯電話と購入者の携帯電話が同じ事業者（電話会社）の場合を示しているが、違う事業者間、ＰＨＳ、自販機側が一般電話などでも同様の方式が可能である。通信業者が違う場合の携帯電話２の経路は、サービスエリア１００内の無線基地局４を介さないで、他の通信業者の無線基地局を介し、更に他の通信業者の移動通信交換局等を介して図１の移動体通信交換局３と通信パスが張られることになる点が違うだけで、その他の処理は、基本的には、同じであることは明らかである。
【００３７】
【発明の効果】
以上説明したように、本発明は、携帯電話から電話がかかってきた場合は、自動販売機の購入選択ボタン（商品ボタン）をコイン投入があったとして有効にしているため、携帯電話機の所有者は、コインを投入する必要はなく、購入選択ボタン（商品ボタン）を押下することで要望する商品を入手できるという効果がある。
【００３８】
また、本発明は、自動販売機が、押下された購入選択ボタンに対応する商品を排出する毎に移動体通信交換局に購入選択ボタンに対応する商品の売上情報を送信しているため、利用者毎に購入額の管理を行う必要はなく、大容量の記憶部を準備する必要はなく、更に、電話会社は、通信料金として、取り扱うことができるという効果がある。
【００３９】
また、本発明は、自動販売機が、携帯電話による商品の購入が発生する度に、売り上げた商品に対応する売上額を積算し、記憶部に記録するようにし、更に、自動販売業者管理システムが予め決められた日時毎に自動販売機の記憶部に記録された予め決められた期間の売上結果を入手するようにしているため、携帯電話による各商品の売上の動向が把握できるという効果がある。
【００４０】
また、本発明は、移動体通信交換局で発生する通信料金の中に自販マークを設けたために、電話会社は、自動販売機で購入した物かどうかすぐに判別できるという効果がある。
【００４１】
また、本発明は、自動販売機の正面に、自動販売機自身の電話番号を含むコメントを表示した表示盤を準備することで、携帯電話を所有している利用者は、手軽に自動販売機を利用することができるという効果がある。
【図面の簡単な説明】
【図１】本発明の実施の形態におけるシステムブロック図である。
【図２】図１の自動販売機のブロック図である。
【図３】図１の移動体通信料金処理装置のブロック図である。
【図４】図１の売上テーブルの内容を示すフォーマット図である。
【符号の説明】
１    自動販売機
２    携帯電話
３    移動体通信交換局
４    無線基地局
５    自動販売業者管理システム
６    移動体通信料金処理装置
１１    購入選択ボタンパネル
１２    店番携帯電話モジュール
１３    排出口
１４    表示盤
１５，６２    制御部
１６    商品排出部
１７，６３    記憶部
６１    入出力部
１００    サービスエリア
１７１    売上テーブル
【図１】
0003687473.tif 000002
【図２】
0003687473.tif 000003
【図３】
0003687473.tif 000004
【図４】
0003687473.tif 000005